(57)【要約】【課題】  撮影空間内の温度上昇を省スペースで効率よく防止することができる自動写真撮影装置を提供することを目的とする【解決手段】  ファンユニット４０の下部（撮影空間２に向く面）に配備される固定板４３の中央は開口しており、吸気口４５となっている。また、ファンユニット４０の上部（装置の外側に向く面）も開口しており、排気口４６となっている。ファンユニット４０は、ファン４１の中央のモーター４８が駆動することにより、ファン４１の回転軸を中心に羽根車が回転することによって、吸気口４５を介して撮影空間２内の空気を吸気し、排気口４６を介して上述の吸気した空気を装置の外部に排気する構成となっている。  【選択図】        図５
2006350158.tif 000002
【特許請求の範囲】
【請求項１】
被写体を撮影する撮影手段と、
前記撮影手段を用いた撮影時に被写体が位置する撮影空間と、
前記撮影空間を照明する照明手段とを有する自動写真撮影装置において、
前記撮影空間の天井部に前記撮影空間の空気と外部の空気とを入れ換えるための換気手段をさらに備える自動写真撮影装置。
【請求項２】
前記換気手段は、前記撮影空間に面し、前記撮影空間の空気を吸気する吸気部と、前記吸気部によって吸気した空気を外部に排気する排気部とを備える請求項１に記載の自動写真撮影装置。
【請求項３】
前記撮影手段による撮影の案内や音楽を出力する出力部を有する音声出力手段をさらに備え、
前記換気手段と前記音声出力手段とを一体的に固定する固定手段を備えることを特徴とする請求項１または２に記載の自動写真撮影装置。
【請求項４】
前記換気手段の吸気部と前記音声出力手段の出力部とは、前記固定手段上に略同一直線上に並べて配備されることを特徴とする請求項３に記載の自動写真撮影装置。
【請求項５】
前記換気手段の吸気部は、前記固定手段上の略中央に備えられ、複数備わる前記音声出力手段の夫々の出力部は、前記吸気部を中心にして左右対称の位置に備えられることを特徴とする請求項３〜４に記載の自動写真撮影装置。
【発明の詳細な説明】
【技術分野】
【０００１】
この発明は、撮影空間に換気手段を配備した自動写真撮影装置に関する。
【背景技術】
【０００２】
近年、ゲームセンター等の遊戯を提供する店舗において、写真を撮影して、付属のタッチペンで文字や図形などを入力し、シールプリント等にするいわゆるプリクラ（登録商標）と呼ばれている自動写真撮影装置が数多く設置されている。
【０００３】
このような自動写真撮影装置は、肌や目や髪など顔の写り具合の美しい写真を利用者に提供する目的や、撮影を行なう撮影空間内を明るく保ち、装置の外観の印象を向上させる目的で、ストロボや蛍光灯を内蔵する複数の照明装置が配備されることが一般的になっている。
【０００４】
また、このような自動写真撮影装置の撮影空間は、利用者のプライバシーに配慮する目的や写り具合を美しく保つ目的で、パネルやフレームやサイドカーテンによって外部から遮蔽されており、常に開放されている場所は、サイドカーテンの下方の隙間ぐらいである。
【０００５】
さらに、このような自動写真撮影装置は、簡単で楽しく利用できるようにするために、音声案内や音楽などを出力するスピーカー、ポーズの確認をするためのライブモニタ、案内を表示したり利用者の操作を受付けたりするためのタッチパネルディスプレイなど様々な機器が配備される。
【０００６】
特許文献１には、利用者を撮影する際に、送風部ケースの送風口から利用者に対して風を送出する映像プリント装置が開示されている。
【特許文献１】特開２０００−２３５２１５号公報
【発明の開示】
【発明が解決しようとする課題】
【０００７】
しかしながら、撮影空間内に複数の照明装置を配備すると、照明装置の熱で撮影空間内の温度が上昇するため、撮影空間内にいる利用者は暑いと感じてしまうという問題があった。さらに、温度上昇により、自動写真撮影装置が故障しやすくなるという問題があった。
【０００８】
また、自動写真撮影装置の出荷時においては、サイドカーテンの素材として用いているターポリン等から発する臭気によって、撮影空間内に臭気が篭りやすいという問題があった。
【０００９】
また、自動写真撮影装置は、撮影空間が上述のように外部から遮蔽されているため、上述のような熱と臭気が、より篭りやすいという問題があった。
【００１０】
また、自動写真撮影装置は、上述のように美しい写り具合の実現と装置の外観の印象を向上させるために、撮影空間に面する広範囲を照明装置の光出射部で占有されている。このため、上述の音声案内や音楽などを出力するスピーカー、ポーズの確認をするためのライブモニタ、案内を表示したり利用者の操作を受付けたりするためのタッチパネルディスプレイなどのその他の機器の配置を照明に影響しないように配慮しなければならない。このため、設計の段階で照明装置の配置変更があった場合に、照明装置以外の機器の再配置が困難であり、さらにコストがかかるという問題があった。
【００１１】
特許文献１の映像プリント装置では、送風口から利用者に対して風を送出するため、撮影時の撮影環境を著しく変化させることができ、よりバリエーションに富んだ撮影画像を撮影することができる。しかしながら、自動写真撮影装置のように撮影時以外でも蛍光灯を点灯させたままにしておくような装置では、一時的な風の送出だけでは、撮影空間内の温度上昇の問題を解決することはできない。
【００１２】
本発明はこれらの問題に鑑みてなされたものであって、撮影空間に換気手段を配備した自動写真撮影装置を提供することを目的とする。
【課題を解決するための手段】
【００１３】
上記課題を解決するために、本発明の自動写真撮影装置は、被写体を撮影する撮影手段と、撮影手段を用いた撮影時に被写体が位置する撮影空間と、撮影空間を照明する照明手段とを有し、撮影空間の天井部に前記撮影空間の空気と外部の空気とを入れ換えるための換気手段をさらに備える。
【００１４】
上記発明によれば、撮影空間の天井部に撮影空間の空気を換気する換気手段を配備することによって、撮影空間の空気を換気することができる。撮影空間の空気を換気することによって、照明手段によって発生する熱で暑くなりがちな撮影空間内の熱を除去し、温度上昇を防止することができる。さらに、該自動写真撮影装置が出荷間もない場合においては、サイドカーテンの素材として用いているターポリン等が発する臭気を除去することもできる。
【００１５】
より好ましくは、換気手段は、撮影空間に面し、撮影空間の空気を吸気する吸気部と、吸気部によって吸気した空気を外部に排気する排気部とを備える。
【００１６】
上記発明によれば、撮影空間の天井部に撮影空間の空気を吸気して外部に排気する換気手段を配備することによって、撮影空間内の熱や臭気を除去することができる。
【００１７】
また、自動写真撮影装置の天井部は埃などが溜まりやすいが、吸気部を介して撮影空間２内の空気を吸気し、排気部を介して上述の吸気した空気を装置の外部に排気するため、このような埃を撮影空間２内に吸い込まないようにすることができる。
【００１８】
また、天井部に配備されているため、撮影空間２内の熱い空気を上方向へ排気する。このため、自動写真撮影装置が設置されるゲームセンターなどの遊戯施設の横方向に風が漏れることがないので、当該自動写真撮影装置に隣接して設置された他の装置の利用や、当該自動写真撮影装置を利用するために順番待ちをしている利用者などに、悪影響を及ぼすことはない。
【００１９】
より好ましくは、撮影手段による撮影の案内や音楽を出力する出力部を有する音声出力手段をさらに備え、換気手段と音声出力手段とを一体的に固定する固定手段を備える。
【００２０】
上記発明によれば、換気手段と音声出力手段とを固定手段で一体的に固定して配備しているため、天井のスペースを有効利用することができる。
【００２１】
また、自動写真撮影装置の設計時に、各機器の配置変更をする場合でも、ファンユニット４０全体を移動させて配置するだけで、音声出力手段の固定場所を新たに設計し直す必要がないため、設計時のコストを低減することができる。
【００２２】
より好ましくは、換気手段の吸気部と音声出力手段の出力部とは、固定手段上に略同一直線上に並べて配備される。
【００２３】
上記発明によれば、換気手段の吸気部と音声出力手段の出力部という撮影空間に露出する部分を同一直線上に配列しているので、省スペースであり、外観の印象もよい。
【００２４】
より好ましくは、換気手段の吸気部は、固定手段上の略中央に備えられ、複数備わる前記音声出力手段の夫々の出力部は、吸気部を中心にして左右対称の位置に備えられる。
【００２５】
上記発明によれば、吸気部は固定手段上の略中央に備わっているため、撮影空間の隅々まで均等に吸気を行なうことができる。また、外観の印象もよい。
【発明の効果】
【００２６】
上記発明によれば、撮影空間の天井部に撮影空間の空気を入れ換える換気手段を配備することによって、撮影空間の熱や臭気を除去することができる。
【００２７】
また、換気手段と音声出力手段とを固定手段で一体的に配備しているため、天井のスペースを有効利用することができる。
【００２８】
またさらに、換気手段の吸気部と音声出力手段の出力部という撮影空間に露出する部分を同一直線上に配列しているので、省スペースであり、外観の印象もよい。
【発明を実施するための最良の形態】
【００２９】
以下、図面を参照し、本発明の実施の形態を詳しく説明する。図中同一又は相当部分に
は同一符号を付してその説明は繰り返さない。
［外観構成］
【００３０】
まず図１〜図２を参照して、本発明の実施の形態による自動写真撮影装置の外観構成を説明する。
【００３１】
図１を参照して、この自動写真撮影装置は筐体１を備え、その両側に、撮影を行なう撮影空間２と、「落書き」や「お絵描き」と呼ばれる編集を行なう編集空間３とを有する。自動写真撮影装置はさらに、編集空間３側に設置された編集装置４と、撮影空間２側に設置された撮影時に背景となるロールカーテン３０１を垂下するカーテンユニット３００とを備える。
【００３２】
撮影空間２は、利用者６が出入りでき、かつ筐体１と利用者６との間に必要な距離を確保できるように、筐体１と背面パネル５との間に形成されている空間である。撮影空間２の一部及び編集空間３は、利用者６が出入りできるように開放されているが、利用者６のプライバシーを保護し、かつ外部からの光を遮断するために、サイドカーテン（図示せず）が取り付けられている。自動写真撮影装置はさらに、筐体１の上面から両側に延びる天井フレーム７を備え、天井フレーム７は撮影空間２及び編集空間３の領域を画定している。撮影空間２側の天井部分には天井照明ボックス３０と、ファン４１とスピーカー４２とを含むファンユニット４０とが備えられる。これら天井部分の構成は後に詳細を説明する。
【００３３】
このように撮影空間２の上部は外部と遮蔽された空間となっており、サイドカーテンの下のみが開放されている。
【００３４】
図１に示したカーテンユニット３００は、撮影空間２の後方の上部に配設され、撮影方向に配列された複数のロールカーテン３０１を収納する。利用者が好みのロールカーテン３０１を選択したとき、選択されたロールカーテン３０１がカーテンユニット３００の開口部から垂下される。ロールカーテン３０１は利用者６の手動操作で昇降されてもよく、また、操作部２３又はロールカーテン専用の操作部を操作することで自動的に昇降されてもよい。
【００３５】
以下、説明の便宜上、筐体１の撮影空間２側の面を正面とし、編集空間３側の面を背面という。
【００３６】
まず、筐体１の正面の構成について説明をする。図２（Ａ）を参照して、筐体１の正面には、利用者６を被写体として撮影する撮影手段として機能するカメラ２１と、カメラ２１で撮影される被写体及び背景の画像をリアルタイムで表示し、利用者６に目視で確認させるためのライブモニタ２２と、利用者６の操作を受付ける操作部２３と、デモ画面や撮影中の操作手順などを表示するディスプレイ２４と、対価である硬貨を投入するための硬貨投入口２５と、筐体１に収容された各種制御機器のメンテナンスなどを行なうときに開くフロントドア２６とが設けられている。
【００３７】
カメラ２１の周囲には、蛍光灯（図８中の符号２８）やストロボ（図８中の符号２９）などを内蔵し、被写体及び背景となるロールカーテン３０１の表面を照明する照明手段として機能する照明ボックス２７が設けられている。
【００３８】
カメラ２１としては一般にデジタルカメラが用いられる。撮影条件（たとえばシャッタスピード、絞り値、露出補正、ホワイトバランスなど）の設定、変更、シャッタタイミングは、操作部２３からの入力又は予め設定されたデータに従って後述するコンピュータ装置（図８中の符号５０）により制御される。
【００３９】
筐体１には、内部の熱を逃がすためのファンのほか、撮影画像の配信やリモートメンテナンスなど、外部装置との通信を可能にするために、ＬＡＮ(Local Area Network)ケーブルの差込口などが設けられていてもよい。
【００４０】
次に、筐体１の背面の構成について説明をする。図２（Ｂ）を参照して、筐体１の背面に設置された編集装置４は、撮影空間２で撮影された画像を表示して画像の編集操作を受付けるタブレットディスプレイ３１と、所望の図形や文字を入力するためのタッチペン３２と、ＢＧＭや操作手順などのアナウンスを出力する編集用スピーカー（図８中の符号３３）とを備える。
【００４１】
筐体１の側面には、箱形のプリント取出口８が設けられる。筐体１の内部にはプリンタ（図８中の符号５２）が設けられ、撮影された写真がプリンタでシールシートに印刷され、排出される。プリント取出口８付近には、印刷中ＬＥＤ（Light Emitting Diode）９と、印刷エラーＬＥＤ１０とが設けられ、これらが点灯又は点滅することで、印刷中であることを通知したり、印刷中に用紙切れ、インク切れ、用紙詰り、メカニカルエラーなどのエラーが発生していることを通知したりする。
【００４２】
次に、撮影空間２の天井部分について説明する。図３は天井部分を示す図である。
【００４３】
図３を参照して、撮影空間２側の天井部分には、前方天井照明ボックス３０ａとファンユニット４０と後方天井照明ボックス３０ｂとカーテンユニット３００とが備えられる。ファンユニット４０は前方天井照明ボックス３０ａと、後方天井照明ボックス３０ｂとの間に配備される。（便宜上、前方天井照明ボックス３０ａと後方天井照明ボックス３０ｂとは、同じ作用や機能の説明を行なう場合に、まとめて天井照明ボックス３０という。）
【００４４】
図３を参照して、ファンユニット４０には、撮影用スピーカー４２ａと撮影用スピーカー４２ｂとがファン４１を中心にして、左右対称の位置に夫々備えられる（便宜上、同じ作用や機能の説明を行なう場合には、撮影用スピーカー４２ａと撮影用スピーカー４２ｂとをまとめて撮影用スピーカー４２という。）。すなわち、ファン４１は、撮影用スピーカー４２ａと撮影用スピーカー４２ｂとの間に挟まれるように略中央に配備されている。なお、ファンユニット４０は撮影空間２の横方向の長さＬ（図２（Ａ）参照）と略同一の長さである。
【００４５】
ファンユニット４０の下部（撮影空間２側に向く面）の固定板４３はファン４１と撮影用スピーカー４２とを一体的に固定する。固定板４３はファン４１と撮影用スピーカー４２とを固定する固定手段として機能する。このように、ファン４１と撮影用スピーカー４２とが固定板４３で固定されることによって、一体的にファンユニット４０を形成している。
【００４６】
上記実施形態では、固定板４３は一続きの板であるが、ファン４１を固定する板と、撮影スピーカー４２を固定する板とが一続きでなく、分かれていてもよい。この場合は夫々の板が一体的に係合可能であったり、ネジ等で取付可能にしてあったりすれば同様な固定手段として機能する。
【００４７】
上述のファンユニット４０は、外部に露出する部分が略同一の大きさのファン４１と撮影用スピーカー４２とを一体的に配備しているため、天井のスペースを有効利用することができる。また、同じような大きさのファン４１と撮影用スピーカー４２とを固定板４３の略同一直線上に配列しているので、夫々をばらばらに配置するよりも省スペースであり、外観の印象もよい。
【００４８】
また、自動写真撮影装置の設計時に、天井照明ボックス３０の配置の変更をした場合、配置変更に伴って、撮影用スピーカー４２の配置も変更しなくてはならないことがある。このような場合、撮影用スピーカー４２の固定場所を新たに設計し直さなければならないという問題があるが、図４が図示するように、天井照明ボックス３０をひとつにする場合や、配置位置の変更をする場合でも、ファンユニット４０全体を移動させて配置するだけで、撮影用スピーカー４２の固定場所を新たに設計し直す必要がないため、設計時のコストを低減することができる。
【００４９】
またさらに、ファンユニット４０は自動写真撮影装置の天井フレーム７または天井照明ボックス３０などに取り付け可能な取付部を備えるとより好ましい。取付部は、天井フレーム７と係合するタイプでも、ネジで取り付けるタイプでもよいが、天井フレーム７の任意の位置でファンユニット４０を取り付けることができるようにしておくことが好ましい。このような取付部を備えることによって、よりファンユニット４０の配置が行ないやすくなる。
【００５０】
次に、図５を参照して、ファンユニット４０の各部の機能説明を行なう。図５はファンユニット４０を側面からみた断面図である。まず、ファンユニット４０の換気機能について説明する。
【００５１】
ファンユニット４０の下部（撮影空間２に向く面）に配備される固定板４３の略中央は開口しており、吸気口４５となっている。また、固定板の吸気口４５の左右はスリット４４が備えられ（図３参照）、スリット４４によって自然に換気が行なえるようになっている。ファン４１が備えられる吸気口４５の表面は（撮影空間２側に向かう面）、図示はしていないが、安全のために網状のカバーにより覆う。また、ファンユニット４０の上部（装置の外側に向く面）も開口しており、排気口４６（図５中点線で示す部分）となっている。また、ファンユニット４０の排気口４６は、空気が排気できるのであれば、スリットの入った板や格子状の板を配備していても構わない。
【００５２】
ファンユニット４０は、ファン４１の中央のモーター４８が駆動することにより、ファン４１の回転軸を中心に羽根車が回転することによって、図６の矢印が図示する方向に、空気が流れる。すなわちファンユニット４０は、吸気口４５を介して撮影空間２内の空気を吸気し、排気口４６を介して上述の吸気した空気を装置の外部に排気する構成となっており、自動写真撮影装置の換気手段としての機能を有する。
【００５３】
なお、自動写真撮影装置の天井部は埃などが溜まりやすいので、埃を撮影空間２内に吸い込まないように、吸気口４５を介して撮影空間２内の空気を吸気し、排気口４６を介して上述の吸気した空気を装置の外部に排気する構成がより好ましい。しかしながら、撮影空間２内の空気を換気して撮影空間２内の熱を除去できるのであれば、外部の空気を吸気し、撮影空間２内に排気（送風）するような形態でもよい。このように撮影空間２内に排気（送風）する場合は、埃が撮影空間２内に入らないように防塵用のフィルターを配備することが好ましい。
【００５４】
また、本実施形態では、上述のファン４１はプロペラファンを用いているが、プロペラファンに限定するものでなく、換気可能なファンであれば、シロッコファン、クロスフローファン、ターボファン、軸流ファンなどを用いてもよい。さらに、撮影空間の空気と外部の空気とを換気することが可能なものであればファンでなくとも構わない。また、本実施形態ではファン４１は単数で配備されているが、複数配備されてもよい。
【００５５】
このように、撮影空間２の天井部にファン４１を配備することによって、撮影空間２内の空気が循環し、熱を外部に逃がすことができるため、撮影空間２内の温度上昇を防止することができる。
【００５６】
さらに、該自動写真撮影装置が出荷間もない場合においては、サイドカーテンの素材として用いているターポリン等が発する臭気を除去することもできる。
【００５７】
また、排気口４６は天井部に配備されているため、撮影空間２内の熱い空気を上方向へ排気する。このため、自動写真撮影装置が設置されるゲームセンターなどの遊戯施設の横方向に風が漏れることがないので、当該自動写真撮影装置に隣接して設置された他の装置の利用や、当該自動写真撮影装置を利用するために順番待ちをしている利用者などに、悪影響を及ぼすことはない。
【００５８】
また、ファン４１は撮影空間２の天井部の中央付近に設けられるため、特定の場所に偏ることなく、撮影空間２の隅々まで均等に吸気を行なうことができる。
【００５９】
次に、ファンユニット４０のスピーカー機能について説明する。
【００６０】
撮影用スピーカー４２ａと撮影用スピーカー４２ｂとは、ファン４１に対して左右対称に備えられ音声出力手段として機能する。ファンユニット４０の下部（撮影空間２に向く面）に配備される固定板４３には、吸気口４５に対して左右対称に開口部が設けられており、その開口部から夫々の撮影用スピーカー４２の出力部である表面を露出させて撮影空間２に向けられている。撮影用スピーカー４２は、撮影時の案内やＢＧＭなどを出力する。
【００６１】
撮影用スピーカー４２ａはスピーカーボックス４７ａに、撮影用スピーカー４２ａはスピーカーボックス４７ｂにそれぞれ収納されており、夫々の撮影用スピーカー４２の裏面は密閉されている。このような密閉空間を設けることにより、撮影用スピーカー４２の表面から出た音と撮影用スピーカー４２の裏面から出た音が打ち消し合い、音質が劣化することを防止することができる。
【００６２】
また、ファンユニット４０のファン４１と撮影用スピーカー４２との位置関係は、上述のような形態に限定するものではない。図７は、ファンユニット４０の他の具体例を示す図である。図７が図示するファンユニット４０では、撮影用スピーカー４２はファンユニット４０の両側端に一体的に配備される。スピーカユニット４７の一端を下方向（撮影空間２側）に傾けて配備される。このような形態でも、装置の配置変更の際に、再配置が行ないやすく、図６が図示するファンユニット４０と同様の効果を奏する。また、撮影用スピーカー４２の出力部が撮影空間の利用者が立つと思われる位置の方向に向くため、臨場感のある音声や効果音や音楽を出力できる。
【００６３】
なお、図６や図７が図示するような実施形態においては、撮影用スピーカー４２をファン４１と一体的に配備したが、スポットライトや蛍光灯やストロボなどの照明装置などを一体的に配備するようにしてもよい。
【００６４】
このように、ファンユニット４０に換気機能とスピーカー機能などのその他の機能を持たせるようにすることで、省スペースが実現でき、かつ自動写真撮影装置にとって重要な照明設計が行ないやすくなるともに、撮影空間２内を換気して、撮影空間２内の熱や臭気を除去することができる。
［機能構成］
【００６５】
次に図８を参照して、上述した自動写真撮影装置の機能構成を説明する。
【００６６】
図８を参照して、この自動写真撮影装置は、各機能や処理動作のための演算、制御の中心部となり、主に撮影側で行なわれるプレイの処理動作を実行する撮影用コンピュータ装置５０ａ、主に編集側で行なわれるプレイの処理動作を実行する編集・印刷用コンピュータ装置５０ｂと（これらをまとめてコンピュータ装置５０という）、基板から構成され、コンピュータ装置５０からの指示を受けて、接続してある各種機器を制御、駆動する制御部５１とを備える。撮影用コンピュータ装置５０ａと編集用コンピュータ装置５０ｂとは、互いに接続され、画像データや情報データなどの授受をピアツーピアで行なう。これらは自動写真撮影装置１の制御手段として機能する。
【００６７】
撮影用コンピュータ装置５０ａと、編集用コンピュータ装置５０ｂとは同一の構成であるため説明はまとめて行なう。コンピュータ装置５０は、ＣＰＵ(Central Processing Unit)５０１と、記憶部５０２と、半導体メモリ５０３と、ドライバ５０４とを備える。ＣＰＵ５０１は、コンピュータ装置５０の中心部として演算処理を行なう演算装置である。記憶部５０２は、本装置を動作させるためのプログラム及び動作に必要な画像データ、音声データ、撮影された画像、入力された編集画像などを記憶する。半導体メモリ５０３は、プログラムの一時的な作業領域となる。ドライバ５０４は、カメラ２１、タブレットディスプレイ３１、プリンタ５２などの周辺機器を駆動する。
【００６８】
撮影用コンピュータ装置５０ａは、本装置に電源が投入されると、プログラムが起動し、カメラ２１のシャッタタイミング、ライブモニタ２２及びディスプレイ２４の表示を制御し、編集用コンピュータ装置５０ｂは、プリンタ５２の出力、並びにタブレットディスプレイ３１の表示を制御する。
【００６９】
編集用コンピュータ装置５０ｂはまた、プログラム及びタブレットディスプレイ３１から入力された編集操作に従って指示信号を制御部５１に送信する。
【００７０】
プリンタ５２は、撮影されかつ編集された画像をシールシートに印刷する。ここでは、写真をシールシートに印刷する場合を例に挙げて説明するが、シールシートに代えて、紙、金属、プラスチック、その他の印刷媒体に印刷する場合もある。プリンタ５２は用紙切れなどの状態をコンピュータ装置５０に通知し、コンピュータ装置５０はその通知に応じて指示信号を制御部５１に送信する。プリンタ５２としては一般に、昇華型、サーモオートクローム方式（光定着型直接感熱記録方式）などのプリンタが用いられる。
【００７１】
この自動写真撮影装置はさらに、電源スイッチ５３と、電源制御部５４と、ＵＰＳ（Uninterrupted
Power Supply）５５とを備える。電源の投入及び切断は電源スイッチ５３で行なわれる。電源制御部５４は、ライブモニタ２２、撮影用スピーカー４２、編集用スピーカー３３、ストロボ２９、蛍光灯２８、ファン４１などの電源系統を制御し、外部からそれらに供給される電源の電圧を安定させる。電源切断によりコンピュータ装置５０で動作しているプログラムが強制的に終了されると、コンピュータ装置５０の動作は不安定になる。そのため、電源が落とされても、しばらくはＵＰＳ５５が電源をバックアップし、停電信号をコンピュータ装置５０に送信する。その間に、コンピュータ装置５０はプログラムの終了処理を実行し、プログラムを正常に終了させる。このとき、コンピュータ装置５０は終了信号をＵＰＳ５５に送信する。
【００７２】
制御部５１は、撮影用コンピュータ装置５０ａ、編集用コンピュータ装置５０ｂ及び電源制御部５４の他に、操作部２３、ファン４１、撮影用スピーカー４２、編集用スピーカー３３、サービスパネル５６、コイン制御部５７、カーテンユニット３００、印刷中ＬＥＤ９、印刷エラーＬＥＤ１０、及びストロボ制御部５８に接続される。
【００７３】
また、本実施形態において、ファン４１は電源制御部５４から直接電源を供給されているが、制御部５１に接続してもよい。撮影空間２内に温度計を設置して該温度計が一定値以上の数値を示したときにファン４１が動くように制御したり、コイン投入が検出されたときにファン４１が動くように制御したりするようにしてもよい。
【００７４】
操作部２３は利用者６の操作を受付け、操作信号を制御部５１に送信する。撮影用コンピュータ装置５０ａは制御部５１から操作信号を受信し、操作内容に応じた処理を実行する。
【００７５】
制御部５１は撮影用コンピュータ装置５０ａから受信した指示信号に従って撮影用スピーカー４２を制御する。また、制御部５１は編集用コンピュータ装置５０ｂから受信した指示信号に従って編集用スピーカー３３を制御する。撮影用スピーカー４２及び編集用スピーカー３３は遊技中に操作案内やＢＧＭなどを出力する。
【００７６】
サービスパネル５６は、投入された硬貨の枚数をカウントするコインカウンタ、印刷されたプリントの枚数をカウントするプリントカウンタ、撮影用スピーカー４２及び編集用スピーカー３３から出力される音声のボリュームを調整するための音量調整つまみ、本装置をテストモードに切換えるためのテストボタン、硬貨を投入しなくても本装置を利用可能にするためのサービスボタンなどを備える。サービスパネル５６は、本装置の設置者が各種設定やメンテナンスを行なう際に用いられる。制御部５１は、コンピュータ装置５０から受信した指示信号に従ってサービスパネル５６に制御信号を送信する。サービスパネル５６は、制御信号に従ってコインカウンタやプリントカウンタを動作させる。ここでいう設置者は、本装置を設置して営業を行なっている店舗などの経営者、管理者、従業員であり、営業中に、利用者に対応できる者である。
【００７７】
コイン制御部５７は、硬貨投入口２５に投入された硬貨の正当性を判別し、硬貨の投入を表す検出信号を制御部５１に送信する。制御部５１は撮影用コンピュータ装置５０ａから受信した指示信号に従ってコイン制御部５７に制御信号を送信し、コイン制御部５７は制御信号に従って硬貨投入口２５を遮蔽する。これにより、たとえば遊技中に硬貨の投入を禁止することができる。
【００７８】
利用者６が操作部２３を操作して所望のロールカーテン３０１を選択すると、制御部５１は操作部２３から受信した操作信号に従って選択されたロールカーテン３０１を垂下させる。撮影コンピュータ装置５０ａから受信した指示信号に従ってロールカーテン３０１が自動的に選択される場合もある。
【００７９】
制御部５１は、プリンタ５２の状態に応じた指示信号を編集用コンピュータ装置５０ｂから受信し、印刷中ＬＥＤ９及び印刷エラーＬＥＤ１０を制御する。これにより、印刷中ＬＥＤ９又は印刷エラーＬＥＤ１０が点灯又は点滅する。
【００８０】
この自動写真撮影装置はさらに、ストロボ２９を備える。ストロボ２９は、蛍光灯２８とともに図２に示した照明ボックス２７に内蔵される。蛍光灯２８は被写体を常時照明するのに対し、ストロボ２９はカメラ２１のシャッタに同期して被写体を瞬間的に照明する。ストロボ制御部５８はカメラ２１に接続され、カメラ２１のシャッタタイミングに応じてシャッタ同期信号ＳＳを受信する。ストロボ制御部５８は、シャッタ同期信号ＳＳに応答してストロボ２９を閃光させる。
【００８１】
ストロボ制御部５８は、ストロボチェック処理時に、ストロボ２９の発光回数や充電時間などの値を、制御部５１を介して撮影用コンピュータ装置５０ａに送信する。
【００８２】
ストロボ制御部５８は、制御部５１からの制御信号に応じて閃光度などを設定してもよい。蛍光灯２８も同様に、制御部５１からの制御信号に応じて照度などを設定してもよい。
【００８３】
図示された形態は自動写真撮影装置の一例に過ぎない。したがって、図示されていない他の機能が備えられていてもよく、逆に、図示された機能が必ずしも全て備えられていなくてもよい。たとえば、コンピュータ装置５０は本実施形態のように、撮影用と編集用とにわかれておらず１台で構成されていてもよいし、３台以上で構成されていてもよい。プリンタ５２は自動写真撮影装置本体に備えられていなくてもよい。この場合、自動写真撮影装置は画像データをＬＡＮなどの電気通信回線を介して外部に出力し、外部のプリンタで写真を印刷したり、携帯電話機に写真を保存したりしてもよい。
［自動写真撮影装置の動作］
【００８４】
自動写真撮影装置１は、硬貨投入口２５で硬貨の投入を受付ける。硬貨を受付けたとき、自動写真撮影装置１が利用可能な状態であれば、ディスプレイ２４にその旨の案内を表示する。
【００８５】
続いて、本装置の遊戯動作が開始される。遊戯動作は撮影プレイから始まる。具体的には、自動写真撮影装置はカメラ２１で被写体である利用者を撮影する。撮影が終了した後、撮影用コンピュータ装置５０ａのＣＰＵ５０１ａは、編集用コンピュータ装置５０ｂに必要なデータを送信して、利用者に対しては編集コーナ３に移動するように促す案内をディスプレイ２４に表示する。以降、利用者は編集コーナ３に移動し、編集プレイが開始される。
【００８６】
編集プレイでは、利用者により、スタンプ画像やテキストなどの編集画像がタブレットディスプレイ３１とタッチペン３２とを用いて入力される。自動写真撮影装置１は、入力された編集画像を撮影画像に合成し、合成画像を作成する。編集動作終了後、作成した合成画像をレイアウトした印刷データをシール紙に印刷し、プリント取出口８に排出して利用者に提供する。
【００８７】
以上、１組の利用者６が自動写真撮影装置を利用する場合の動作を説明したが、本実施の形態では編集コーナ３が撮影コーナ２と異なる場所に設置されているので、２組の利用者が同時に利用することができる。
【００８８】
コンピュータ装置５０を動作させるプログラムは、フレキシブルディスク、ＣＤ−ＲＯ
Ｍ（Compact Disc-Read Only Memory）、ＤＶＤ−ＲＯＭ（Digital
Versatile Disc Read Only Memory）、ハードディスク、ＲＯＭ（Read Only Memory）、ＲＡＭ（Random
Access Memory）、メモリカードなどのコンピュータ読取り可能な記録媒体に記録して提供してもよく、また、インターネットなどの電気通信回線を通じて提供してもよい。提供されたプログラムはハードディスクなどにインストールされ、実行される。
【００８９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００９０】
【図１】自動写真撮影装置を横から見た図である。
【図２】（Ａ）自動写真撮影装置の筐体１を正面から見た図である。              （Ｂ）自動写真撮影装置の筐体１を背面から見た図である。
【図３】自動写真撮影装置の天井部の具体例を示す図である。
【図４】自動写真撮影装置の天井部の他の具体例を示す図である。
【図５】ファンユニット４０の断面図である。
【図６】ファンユニット４０による空気の流れを示す図である。
【図７】ファンユニット４０の他の具体例を示す図である。
【図８】自動写真撮影装置の機能構成を示す図である。
【符号の説明】
【００９１】
１  筐体、２  撮影空間、３  編集空間、２１  カメラ、３０  天井照明ボックス、４０  ファンユニット、４１  ファン、４２  撮影用スピーカー、４３  固定板、４４  スリット、４５  吸気口、４６  排気口、５０  コンピュータ装置、５１  制御部、５０１  ＣＰＵ、５０２  記憶部、５０３  メモリ
【図１】
2006350158.tif 000003
【図２】
2006350158.tif 000004
【図３】
2006350158.tif 000005
【図４】
2006350158.tif 000006
【図５】
2006350158.tif 000007
【図６】
2006350158.tif 000008
【図７】
2006350158.tif 000009
【図８】
2006350158.tif 000010